(57)【要約】【課題】ストリームデータに登録された再生開始位置に関する情報をユーザに提供しつつ再生開始位置の選択を受け付ける。【解決手段】  選択画面生成部７は、ファイルの選択画面としてリスト表示画面と送り表示画面とを生成する。動画ファイルにブックマークが登録されている場合、リスト表示画面３７には、動画ファイル用サムネイル画像１５と、ブックマーク用サムネイル画像１６〜１８が連続して表示される。サムネイル画像１５のサイズ、及び、横線２８〜３１の有無により、動画用サムネイル画像１５とブックマーク用サムネイル画像１６〜１８が視覚的に区別できる。また、送り表示画面３８では、ファイルの静止画像を１枚づつ送りながら表示する。ファイルにブックマークが登録されている場合には、ファイルの先頭を示す静止画像に次いで、ブックマークを想起させる静止画像が１枚ずつ連続して表示される。【選択図】図１
2007124047.tif 000002
【特許請求の範囲】
【請求項１】
ブックマークが登録されたストリームファイルを入力したとき、上記ストリームファイルを想起させる画像と上記ブックマークが登録された位置を想起させる画像とを連続して配置した選択画面を生成する選択画面生成部を備えること
を特徴とする表示制御装置。
【請求項２】
上記選択画面生成部は、上記選択画面において上記ストリームファイルを想起させる画像が選択されたとき、上記ストリームファイルの先頭から再生を開始し、上記選択画面において上記ブックマークが登録された位置を想起させる画像が選択されたとき、上記ブックマークが登録された位置を再生開始位置として上記ストリームファイルの頭出し再生を開始すること
を特徴とする請求項１記載の表示制御装置。
【請求項３】
上記選択画面生成部は、動画像ファイルを想起させる画像、静止画ファイルを想起させる画像、音声ファイルを想起させる画像、テキストファイルを想起させる画像を上記選択画面に配置することを特徴とする請求項１記載の表示制御装置。
【請求項４】
上記選択画面生成部は、上記ストリームファイルに登録されたブックマークの再生開始位置を示す図を上記画像に重ねて表示することを特徴とする請求項１記載の表示制御装置。
【請求項５】
上記選択画面生成部は、１つの選択画面に複数の画像を並列して表示させたリスト表示画面を生成することを特徴とする請求項１記載の表示制御装置。
【請求項６】
上記選択画面生成部は、上記リスト表示画面において、上記ストリームファイルを想起させる画像と上記ストリームファイルのブックマークが登録された位置を想起させる画像とを異なるサイズで表示することを特徴とする請求項５記載の表示制御装置。
【請求項７】
上記選択画像生成部は、上記ストリームファイルを想起させる画像と上記ストリームファイルのブックマークが登録された位置を想起させる画像とを１枚づつ順次送り表示する送り表示画面を生成することを特徴とする請求項１記載の表示制御装置。
【請求項８】
上記選択画像生成部は、ファイルの属性を記述したファイル情報と当該ファイルの再生開始位置を記述したブックマーク報とをインデックスによりリンク付けたインデックスファイルからブックマーク情報を取得することを特徴とする請求項１記載の表示制御装置。
【請求項９】
ブックマークが登録されたストリームファイルを入力する入力工程と、
上記ストリームファイルを想起させる画像と上記ストリームファイルのブックマークが登録された位置を想起させる画像とを連続して配置した選択画面を生成する選択画面生成工程と、
上記選択画面において上記ストリームファイルを想起させる画像が選択されたとき、上記ストリームファイルの先頭から再生を開始し、上記選択画面において上記ブックマークが登録された位置を想起させる画像が選択されたとき、上記ブックマークに対応する再生開始位置から上記ストリームファイルの頭出し再生を開始する再生開始工程と
を有することを特徴とする表示制御方法。
【発明の詳細な説明】
【技術分野】
【０００１】
本発明は、ストリームデータの再生開始位置を選択させる機能を備えた表示制御装置、及び、ストリームデータの再生開始位置を選択させる表示制御方法に関する。
【背景技術】
【０００２】
従来、ディスクに記録された動画像ファイルにブックマークを登録し、ブックマークが登録された位置から再生を開始するディスク再生装置が存在する。このディスク再生装置は、動画像の再生時にマーカキーが操作されると、その時点で再生されていたディスクのアドレスをブックマークとして登録し、ディスクが再生されていないときにマーカキーが操作されると、ブックマークとして登録された静止画像をサムネイル画像として並べて表示し、表示したサムネイル画像に対応するマーカＮｏ．を選択されると、選択されたマーカＮｏ．に対応するアドレスから、ディスクの再生を開始する（例えば、特許文献１）。
【０００３】
【特許文献１】特開２００４−２８０９４０号公報
【発明の開示】
【発明が解決しようとする課題】
【０００４】
特許文献１記載の発明では、ブックマークを選択する際、メニュー画面であるマーカ表示部を表示し、マーカ表示部上でブックマークを選択できるようになっている。このメニュー画面には、ブックマークとして登録されたアドレスの静止画像が並べられており、静止画像からブックマークの登録された位置が想像できる。
【０００５】
しかし、特許文献１では、ブックマークを選択する前に、ブックマークを選択する専用のメニュー画面を表示しなければならない。このメニュー画面は、ブックマークが登録されたときの静止画像を表示してあるだけであり、各ブックマークがどのファイルに付けられているか、ファイルのどこから再生を開始するかという情報が記述されていない。
【０００６】
本発明は、上述した課題に鑑みてなされたものであって、ストリームデータに登録された再生開始位置に関する情報をユーザに提供しつつ再生開始位置の選択を受け付ける表示制御装置及び表示制御方法を提供することを目的とする。
【課題を解決するための手段】
【０００７】
上述した課題を解決するために、本発明を適用した表示制御装置は、ブックマークが登録されたストリームファイルを入力したとき、ストリームファイルを想起させる画像とブックマークが登録された位置を想起させる画像とを連続して配置した選択画面を生成する。
【０００８】
また、本発明を適用した表示制御方法は、ブックマークが登録されたストリームファイルを入力し、ストリームファイルを想起させる画像とストリームファイルのブックマークが登録された位置を想起させる画像とを連続して配置した選択画面を生成し、選択画面においてストリームファイルを想起させる画像が選択されたとき、ストリームファイルの先頭から再生を開始し、ブックマークが登録された位置を想起させる画像が選択されたとき、ブックマークに対応する再生開始位置からストリームファイルの頭出し再生を開始する。
【発明の効果】
【０００９】
本発明によれば、ストリームファイルを想起させる画像と、ストリームファイルのブックマークが登録された位置を想起させる画像とを連続して配置することにより、ストリームファイルと、ファイルのブックマークという異なる選択対象をシームレスに選択することができる。
【００１０】
また、動画ファイルを想起させる画像、静止画ファイルを想起させる画像、音声ファイルを想起させる画像、テキストファイルを想起させる画像を選択画面に配置することにより、ファイル種別の異なる検索対象もシームレスに選択することができる。
【００１１】
さらに、１つの選択画面に複数の画像を並列して表示させることにより、画面を切り替えることなく、１つの選択画面上で異なる選択対象を選択することができる。
【００１２】
また、送り表示画面では、ストリームファイルを想起させる画像とブックマークが登録された位置を想起させる画像とが１枚づつ順次表示される。本発明によれば、ファイルとブックマークという異なる検索対象が同じ手順で表示されるため、ユーザに検索対象の違いを意識させることがなく、操作性を向上させることができる。
【発明を実施するための最良の形態】
【００１３】
以下、図面を参照して本発明を適用した再生装置について説明する。図１は、再生装置１の構成を示す。再生装置１は、データを記録するＨＤＤ（Hard Disk Drive）２、データの一時記憶領域であるメモリ３、ＨＤＤ２に記録されたファイルを伸長して再生信号に変換する伸長処理部４、再生信号を映像として出力する表示部５、再生信号を音声として出力するスピーカ６、再生開始位置の選択画面を生成する選択画面生成部７、再生開始位置の送りを指示する送りボタン８、再生開始位置の戻りを指示する戻りボタン９、再生開始を指示する再生ボタン１０、再生装置１全体を制御する制御部１１を備える。
【００１４】
ＨＤＤ２には、図２に示すように、動画像ファイルや静止画ファイルなどを記録するファイル記録領域１３と、ファイル記録領域１３に記録されたファイルの管理情報であるインデックスファイルを記録するインデックスファイル記録領域１２とに区分されている。
【００１５】
インデックスファイル記録領域１２には、インデックスファイルが格納されている。インデックスファイルは、フォルダの構造、ファイルの属性情報、ブックマークの時間情報、ファイルのサムネイル画像などが記述されている。インデックスファイルにより、動画像ファイル、静止画ファイル、音声ファイルなどの種別の異なるファイルを一元的に管理することができる。
【００１６】
伸長処理部４は、ＨＤＤ２から読み出したファイルがＭＰＥＧなどの所定の圧縮方式で圧縮されている場合、圧縮されたファイルを所定の方式で伸長する。表示部５はメモリ３に蓄積された再生信号を画像として表示し、スピーカ６はメモリ３に蓄積された再生信号を音声として出力する。
【００１７】
選択画面生成部７は、再生開始位置の選択画面を生成する。本実施の形態では、選択画面としてリスト表示画面、送り表示画面を生成する。
【００１８】
リスト表示画面には、複数のサムネイル画像が並べられている。このサムネイル画像には、主に、ファイルの先頭画像などファイルの内容を想起させるサムネイル画像（動画ファイル用サムネイル画像）と、ブックマークが登録されたときの静止画像を縮小したサムネイル画像（ブックマーク用サムネイル画像）と、静止画ファイルの縮小画像であるサムネイル画像（静止画ファイル用サムネイル画像）がある。なお、本実施の形態では、例示しないが、テキストファイルを想起させるサムネイル画像や音声ファイルを想起させるサムネイル画像をリスト表示画面に表示させてもよい。
【００１９】
リスト表示画面上で、あるサムネイル画像が選択されると、このサムネイル画像に対応したファイルが再生される。図３にリスト表示画面の一例を示す。図３に示すリスト表示画面１４には、縦横３×３の９枚のサムネイル画像１５〜２３が表示されている。リスト表示画面１４の左側には、ファイルが作成された日付２４が表示されている。また、リスト表示画面１４の右側には、現在リスト表示画面１４に表示されているファイルのファイル総量に対する位置を示すスクロールバー２５が表示されている。
【００２０】
上段の左端に配置されたサムネイル画像１５は、動画ファイル用サムネイル画像である。このサムネイル画像１５には、ファイルにブックマークが登録されたことを示すチェック記号５２と、ファイル種別が動画像であることを示す記号２７が表示されている。このサムネイル画像１５の後には、ブックマーク用サムネイル画像１６〜１８が表示されている。ブックマーク用サムネイル画像１６〜１８は、動画像ファイル用サムネイル画像１６よりも小さく、横線２８〜３１で繋がれている。リスト表示画面では、サムネイル画像のサイズや横線の有無により、動画ファイル用サムネイル画像１５とブックマーク用サムネイル画像１６〜１８とを視覚的に区別している。
【００２１】
また、サムネイル画像１５〜１８の左上には、「ＧＰ」記号２６ａ〜２６ｄが表示されている。「ＧＰ」記号２６は、４つのサムネイル画像が１動画ファイルに関することを示すキャラクタ表示であり、画像サイズ、横線２８〜３１だけでなく、キャラクタ表示にてブックマーク用サムネイル画像を区別している。
【００２２】
２段目の中央に配置されたサムネイル画像１９は、静止画ファイルのサムネイル画像である。このサムネイル画像１９には、ファイル種別が静止画であることを示す記号３２が表示されている。２段目の右端に配置されたサムネイル画像２０は、動画像ファイル用サムネイル画像である。このサムネイル画像２０には、動画像であることを示す記号３３が表示されている。
【００２３】
３段目の左端、及び、真ん中に配置されたサムネイル画像２１，２２は、静止画ファイル用サムネイル画像である。これらのサムネイル画像２１，２２には、静止画ファイルであることを示す記号３４，３５が表示されている。３段目の右端に配置されたサムネイル画像２３は、動画像ファイル用サムネイル画像である。このサムネイル画像２３には、ファイル種別が動画像であることを示す記号３６が表示されている。
【００２４】
リスト表示画面上でサムネイル画像を選択すると再生画面が表示される。再生画面には、選択されたサムネイル画像に対応する画像が表示される。具体的に説明すると、動画像ファイル用サムネイル画像が選択された場合、動画像ファイルの先頭が再生画面に表示され、ブックマーク用サムネイル画像が選択された場合、ブックマークが登録された位置から再生画面に表示する。また、静止画ファイル用サムネイル画像が選択された場合、静止画ファイルを再生画面に表示する。
【００２５】
図４に、ブックマーク用サムネイル画像を選択したときの再生画面の一例を示す。図４の再生画面３７は、ブックマークを再生開始位置としたときの再生画面である。再生画面３７の上部には、左から順に、ファイルが動画像ファイルであることを示す記号３８、ブックマークを再生開始位置としたことを示す「しおり」記号３９が表示されている。また、再生画面３７の下部には、ファイル全体の再生時間に対するブックマークの位置を示すスライドバー４０が表示されており、スライドバー４０の下側にはファイルの撮影日時４１が表示されている。スライドバー４０には、現在選択されたブックマークの再生時間を示す目印Ｍが表示されている。また、スライドバー４０には、その他のブックマークの再生時間を示す目印ｍ１，ｍ２が表示されている。
【００２６】
本発明を適用したリスト表示画面３７では、動画像ファイル、静止画ファイルなどの種別の異なるファイルのサムネイル画像と、動画像ファイルに登録されたブックマークのサムネイル画像とを同時に表示する。
【００２７】
各サムネイル画像には、ファイル種別が動画像ファイルであるか静止画ファイルであるか示す記号、及び、ファイルにブックマークが登録されているか否かを示す記号などが重ねて表示されている。
【００２８】
リスト表示画面３７は、種別の異なるファイルやファイルにリンク付けられたブックマークを同時に表示するため、選択画面を切り替えることなく、シームレスにファイルを選択することができる。
【００２９】
次いで、図５を参照して送り表示画面の構成を説明する。送り表示画面４２では、静止画像を１枚づつ送りながら表示する。送り表示画面４２では、ファイルの静止画像が順に表示される。ファイルにブックマークが登録されている場合には、ブックマークの登録時間順に静止画像１枚づつが表示される。
【００３０】
送り表示画面４２には、ファイル種別を示す記号、ブックマークの静止画像であることを示す記号、ブックマークの再生開始時間などが重ねて表示される。ユーザは、これらの視覚的な情報を確認しつつファイルの再生を指示する。
【００３１】
図５は、送り表示画面の画面フローの一例である。図５（ａ）の送り表示画面４２ａは、動画像ファイルの先頭画像である。送り表示画面６１ａの上部には、ブックマークが登録されていることを示す「ＧＰ」記号６２ａと、動画像ファイルであることを示す記号６３ａが表示されている。ファイルの下部には、ファイルの撮影日時６４ａが表示されている。図５（ａ）を表示した状態で、送りボタン８を押下すると、図５（ｂ）に示す送り表示画面が表示される。
【００３２】
図５（ｂ）に示す送り表示画面６１ｂには、先頭のブックマークが登録された位置の静止画像が表示される。送り表示画面６１ｂには、静止画像と重ねてスライドバー６５ｂが表示される。スライドバー６５ｂは、ファイル全体の時間に対するブックマークの再生開始時間を示している。また、図５（ｂ）に示す送り表示画面には、ブックマークが登録されていることを示す「ＧＰ」記号６２ｂ、動画像ファイルであることを示す記号６３ｂ、ファイルの撮影日時が表示されている。図５（ｂ）に示す送り表示画面６１ｂを表示した状態で、送りボタン８を押下すると、図５（ｃ）に示す送り表示画面６１ｃが表示される。
【００３３】
この送り表示画面６１ｃには、２番目のブックマークが登録された位置の静止画像が表示される。図５（ｃ）に示す送り画面６１ｃには、静止画像と重ねてスライドバー６５ｃ、ブックマークが登録されていることを示す「ＧＰ」記号６２ｃ、動画像ファイルであることを示す記号６３ｃ、ファイルの撮影日時６４ｃが表示されている。図５（ｃ）に示す送り表示画面６１ｃを表示した状態で、送りボタン８を押下すると、図５（ｄ）に示す送り表示画面６１ｄが表示される。
【００３４】
この送り表示画面６１ｄでは、３番目のブックマークが登録された位置の静止画像が表示される。図５（ｄ）に示す送り表示画面６１ｄには、静止画像と重ねてスライドバー６５ｄ、ブックマークが登録されていることを示す「ＧＰ」記号６２ｄ、動画像ファイルであることを示す記号６３ｄ、ファイルの撮影日時６４ｄが表示されている。図５（ｄ）に示す送り表示画面６１ｄを表示した状態で、送りボタン８を押下すると、図５（ｅ）に示す送り表示画面６１ｅが表示される。
【００３５】
図５（ａ）〜図５（ｄ）の４つの送り表示画面で、１つのファイルに登録された４つの再生開始位置が選択できる。送り表示画面は、再生開始位置の時間的な順序に従って表示される。スライドバーの目印Ｍや撮影日時６４も再生開始位置の時間に従って変化する。
【００３６】
図５（ｅ）に示す送り表示画面６１ｅでは、次のファイルの静止画像が表示されている。送り表示画面６１ｅには、このファイルが動画像ファイルであることを示す記号６３ｅ、ファイルの撮影日時６４ｅが表示されている。
【００３７】
送り表示画面６１では、ファイルとブックマークとを区別することなく再生開始時間順に表示するためユーザの検索が容易になる。さらに、送り表示画面６１では、ファイル種別、ブックマークの有無、再生日時などを視認することができる。また、ブックマークの位置を示すスライドバー６５も設けられている。
【００３８】
次いで、選択画面生成部７の動作を説明する。なお、ここでは、選択画面生成部７の説明に先立ってインデックスファイルの構成について説明する。インデックスファイルには、フォルダの構造、ファイルの属性、ブックマークの開始位置などが記述されている。
【００３９】
図６にインデックスファイル４３の具体的な構成を示す。インデックスファイル４３は、プロパティファイル４４と、サムネイルファイル４５とから構成されている。サムネイルファイル４５には、ファイルヘッダ４６とサムネイル画像４７が格納されている。
【００４０】
プロパティファイル４４には、ファイルヘッダ４８と、フォルダ情報４９と、ファイル情報５０と、ブックマーク情報５１とが格納されている。フォルダ情報４９、ファイル情報５０、ブックマーク情報５１には、情報を一意に識別するためのインデックス番号が付けられている。インデックスファイル４３では、インデックス番号を使用して関連するリンク付けを行う。
【００４１】
フォルダ情報４９には、フォルダ自身のインデックス番号と、フォルダに所属するファイル及びフォルダへのインデックス番号が記述されている。
【００４２】
ファイル情報５０には、ファイル自身のインデックス番号、ファイル種別、ファイルの作成日時、ファイルにリンク付けられたサムネイル画像４７のインデックス番号、ファイルにリンク付けられたブックマーク情報５１のインデックス番号が記述されている。
【００４３】
図７は、リンク表示画面の生成手順を示すフローチャートである。選択画面生成部７は、ステップＳ１において、インデックスファイル４３を読み出す。そして、選択画面生成部７は、ステップＳ２において、インデックスファイル４３のフォルダ情報４９にリンク付けられたファイル情報５０を読み出し、ファイル情報５０にリンク付けられたサムネイル画像４７を読み出す。選択画面生成部７は、ステップＳ３において、ファイル情報５０にリンク付けられたブックマーク情報５１を読み出し、ステップＳ４において、ファイル情報５０にリンク付けられたサムネイル画像４７を読み出す。
【００４４】
図８を参照してステップＳ２〜ステップＳ４の処理を具体的に説明する。図８のプロパティファイル４４の先頭には、インデックス番号「０００１」のフォルダ情報４９が記述されている。フォルダ情報４９には、所属ファイルとしてインデックス番号「０００２」のファイル情報５４ａとインデックス番号「０００３」のファイル情報５４ｂとがリンク付けられている。
【００４５】
インデックス番号「０００２」のファイル情報５４ａには、画像ファイル番号「０００１」の画像ファイル及びインデックス番号「０００１」のサムネイル画像４７ａがリンク付けられている。また、インデックス番号「０００３」のファイル５０ｂには、画像ファイル番号「０００２」の画像ファイル、インデックス番号「０００４」「０００５」「０００６」のブックマーク情報５１ａ，５１ｂ，５１ｃ、及びインデックス番号が「０００２」のサムネイル画像４７ｂがリンク付けられている。
【００４６】
ファイル情報５０ｂにリンク付けられたインデックス番号「０００４」のブックマーク情報５１ａには、インデックス番号「０００３」のサムネイル画像４７ｃがリンク付けられており、インデックス番号「０００５」のブックマーク情報５１ｂには、インデックス番号「０００４」のサムネイル画像４７ｄがリンク付けられており、インデックス番号「０００６」のブックマーク情報５１ｃには、インデックス番号「０００５」のサムネイル画像４７ｅがリンク付けられている。選択画面生成部７は、このリンクに従い、ファイルに関連する情報を読み出す。
【００４７】
選択画面生成部７は、ステップＳ５において、読み出したブックマーク情報５１を時間情報の順に並び替える。選択画面生成部７は、ステップＳ６において、ファイルのサムネイル画像４７及びブックマークのサムネイル画像４７を再生開始時間の順に並べてリンク表示画面を生成する。
【００４８】
ステップＳ７において、ユーザが所定のサムネイル画像４７を選択すると、選択画面生成部７は、ステップＳ８に移り、サムネイル画像４７に対応する再生画面を表示させる。選択画面生成部７は、ステップＳ９において、選択されたサムネイル画像４７に対応する再生開始位置から再生を開始する。
【００４９】
図９は、送り表示画面６１の生成手順を示すフローチャートである。選択画面生成部７は、ステップＳ１１において、インデックスファイル４３を読み出す。そして、選択画面生成部７は、ステップＳ１２において、インデックスファイル４３のフォルダ情報４９にリンク付けられたファイル情報５４を読み出す。選択画面生成部７、ステップＳ１３において、ファイル情報５４にリンク付けられたブックマーク情報５１を読み出し、ステップＳ１４において、ファイル情報５４にリンク付けられたサムネイル画像４７及びブックマーク情報５１にリンク付けられたサムネイル画像４７を読み出す。ステップＳ１２〜ステップＳ１４における選択画面生成部７の処理は、リスト表示画面１４を生成する際のステップＳ２〜ステップＳ４の処理と同じであるため説明を省略する。
【００５０】
選択画面生成部７は、ステップＳ１５において、ブックマーク情報５１を時間情報の順に並び替える。そして、選択画面生成部７は、ステップＳ１６において、送り表示画面４２を表示部５に表示させる。
【００５１】
ステップＳ１７において送りボタン８が押下されると、選択画面生成部７は、ステップＳ１８に移り、次の送り表示画面４２を表示部５に表示させる。ここで、送り表示画面６１は、ファイルの静止画像、若しくは、先に表示されたファイルのブックマークの静止画像である。ブックマークの静止画像が表示された場合には、ブックマークの再生開始位置を示すスクロールバー４２が表示される。選択画面生成部７は、送りボタン８が押下される度に次の送り表示画面６１を表示させる。一方、ステップＳ１９において戻りボタン９が押下されると、選択画面生成部７は、ステップＳ２０に移り、１つ手前の送り表示画面６１を表示部５に表示させる。
【００５２】
ステップＳ２１において再生ボタン１０が選択されると、選択画面生成部７は、ステップＳ２２に移り、選択された送り表示画面６１に対応するファイルを再生する。このとき、選択された送り表示画面６１がブックマークに対応する場合、ブックマークの再生開始位置から再生する。
【００５３】
以上説明したように、本発明を適用した再生装置１は、再生開始位置を選択する画面として、リスト表示画面１４と送り表示画面６１とを生成する。リスト表示画面１４では、ファイルのサムネイル画像４７とブックマークのサムネイル画像４７との両方を表示するため、ファイル先頭での再生開始とブックマークでの再生開始とをシームレスに選択することができる。
【００５４】
また、送り表示画面６１では、ファイルの静止画像とブックマークでの静止画像とを順に並べ、次々送りながら表示する。送り表示画面では、ファイルとブックマークとを区別なく同じ操作で検索することができる。
【００５５】
なお、本実施の形態では、再生装置１を例として説明したが、ファイル再生機能を備えた電子機器であれば本発明を適用することができる。また、インデックスファイルは、ブックマークを登録できる管理ファイルであればよい。
【００５６】
また、上記実施の形態では、動画像ファイルのブックマークを登録する例を説明したが、動画像ファイルでなくとも、音声ファイルなどのストリームデータに適用することができる。
【図面の簡単な説明】
【００５７】
【図１】再生装置の構成を示すブロック図である。
【図２】ＨＤＤの構成を示す模式図である。
【図３】リスト表示画面の構成を示す模式図である。
【図４】再生画面の構成を示す模式図である。
【図５】送り表示画面の画面フローである。
【図６】インデックスファイルの構成を示す模式図である。
【図７】リスト表示画面の生成手順を示すフローチャートである。
【図８】フォルダ情報、ファイル情報、ブックマーク情報とのリンク付けを視覚化した概念図である。
【図９】送り表示画面の生成手順を示すフローチャートである。
【符号の説明】
【００５８】
１  再生装置、２  ＨＤＤ、３  メモリ、４  伸長処理部、５  表示部、６  スピーカ、７  選択画面生成部、１４  リスト表示画面、１５〜３６  サムネイル画像、２８〜３０  横線、３７  再生表示画面、４０  スライドバー、４２  送り表示画面、４６  スライドバー、４３  インデックスファイル、４５  サムネイルファイル、４７  サムネイル画像、４９  フォルダ情報、５０  ファイル情報、５１  ブックマーク情報
【図１】
2007124047.tif 000003
【図２】
2007124047.tif 000004
【図３】
2007124047.tif 000005
【図４】
2007124047.tif 000006
【図５】
2007124047.tif 000007
【図６】
2007124047.tif 000008
【図７】
2007124047.tif 000009
【図８】
2007124047.tif 000010
【図９】
2007124047.tif 000011